(57)【特許請求の範囲】
【請求項１】
引出しレールで案内される可動家具部品用の自動引込み装置（１００、２００、３００、４００）において、
基体（１０１、２０１、３０１、４０１）と、
前記基体（１０１、２０１、３０１、４０１）上に配置され、前記可動家具部品の開放時に張力が付与され、その蓄積されたエネルギーを閉鎖過程の間に最終閉鎖位置への引込みの補助として利用することが可能なエネルギー蓄積部と、
所定の開放位置まで前記可動家具部品に連結されて前記エネルギー蓄積部に予め張力を付与し、前記所定の開放位置を越えると自動的に連結解除され、張力が付与された前記エネルギー蓄積部を前記位置で制止する張力付与機構とを備え、
前記張力付与機構が、前記エネルギー蓄積部に連結されて前記張力付与機構を同期的に制止させたり、または作動させたりするとともに前記各引出しレールによって別々に案内されることが可能な２つの駆動部（１０９、１１３、２０７、２０８、３０５、３０６、４０５、４０６）を備えることを特徴とする、自動引込み装置。
【請求項２】
前記エネルギー蓄積部として、第１の端部（２２１、２２２、３１０、３１３）が前記基体（１０１、２０１、３０１、４０１）にロックされ、第２の端部（２２０、２２３、３０９、３１４）が前記駆動部（１０９、１１３、２０７、２０８、３０５、３０６、４０５、４０６）のうちの一方にロックされる２個の引張ばね（２０３、２０４、３０３、３０４、４１０、４１１）が設けられていることを特徴とする、請求項１に記載の自動引込み装置。
【請求項３】
前記駆動部（１０９、１１３、２０７、２０８、３０５、３０６、４０５、４０６）が、前記基体（１０１、２０１、３０１、４０１）に設けられた、最終閉鎖位置に到達する少し前に閉鎖力の方向とは反対方向に作用して閉鎖運動を減衰させる反力を加えるダンパ（１０２、１０３、２０２、３０２、４０３）に連結されていることを特徴とする、請求項１または２に記載の自動引込み装置。
【請求項４】
前記基体（１０１）の両側の領域に、前記駆動部（１０９、１１３）の一方に連結されたそれぞれ１つの前記ダンパ（１０２、１０３）が配置されていることを特徴とする、請求項３に記載の自動引込み装置。
【請求項５】
前記駆動部（１０９、１１３、４０５、４０６）が、歯車制御装置によって互いに連結されていることを特徴とする、請求項１〜４のいずれか一項に記載の自動引込み装置。
【請求項６】
前記歯車制御装置が、歯車と、前記基体（１０１、２０１、３０１、４０１）に取り付けられたラックとを備えることを特徴とする、請求項５に記載の自動引込み装置。
【請求項７】
前記歯車制御装置が、前記駆動部（１０９、１１３、４０５、４０６）のそれぞれに１つずつ連結されたラック（１０６、１０７、４０７、４０８）と噛み合う歯車（１０８、４０９）を備えることを特徴とする、請求項５に記載の自動引込み装置。
【請求項８】
前記各駆動部（２０７、２０８）が、前記基体（２０１）に沿って変位可能に保持されたロック用ウェブ材（２０５、２０６）に連結されており、前記各駆動部（２０７、２０８）が、制止位置で他方の前記駆動部（２０７、２０８）の前記ロック用ウェブ材（２０５、２０６）を制止することを特徴とする、請求項１〜３のいずれか一項に記載の自動引込み装置。
【請求項９】
前記張力付与機構が、ハウジング（１０４）によって部分的に取り囲まれていることを特徴とする、請求項１〜８のいずれか一項に記載の自動引込み装置。
【請求項１０】
前記ハウジング（１０４）が、前記駆動部（１０９、１１３）を案内するための、対応する前記駆動部（１０９、１１３）に設けられた案内ウェブ部（１１０、１１１、１１４、１１５）が突き出るリンクガイド（１１２、１１６）を備えることを特徴とする、請求項９に記載の自動引込み装置。
【請求項１１】
前記リンクガイド（１１２、１１６）の少なくとも１つがＬ字形に設けられており、前記リンクガイド（１１２、１１６）の前記Ｌ字形の短い部分に摺動嵌合された前記案内ウェブ部（１１５）がその嵌合位置で前記駆動部を制止することを特徴とする、請求項１０に記載の自動引込み装置。
【請求項１２】
前記基体（２０１）の各端部に、それぞれ対応する前記駆動部（２０７、２０８、３０５、３０６、４０５、４０６）を案内する案内トラック（２１３、２１６、３１９、３２０、４１８、４１９）が設けられていることを特徴とする、請求項１〜８のいずれか一項に記載の自動引込み装置。
【請求項１３】
家具の基体に取付け可能な案内レール（４）と、
引出し、引出し部等に取付け可能な走行レール（３）と、
前記案内レール（４）と前記走行レール（３）との間に変位可能に配置された中間レール（５）とを備え、
請求項１〜１２のいずれか一項に記載の自動引込み装置（１００、２００、３００、４００）を特徴とする、引出し、引出し部等のための引出しガイド（１）。
【請求項１４】
前記自動引込み装置（１００、２００、３００、４００）が前記中間レール（５）に取り付けられていることを特徴とする、請求項１３に記載の引出しガイド。
【請求項１５】
前記案内レール（４）と前記走行レール（３）に、前記自動引込み装置（１００、２００、３００、４００）を制御する作動部（７、８）がそれぞれ１つずつ設けられていることを特徴とする、請求項１３または１４に記載の引出しガイド。
【発明の詳細な説明】
【技術分野】
【０００１】
本発明は、請求項１の前文に記載の引出しレールで案内される可動家具部品の自動引込み装置と、請求項１３の前文に記載の引出し、家具引出し部等のための引出しガイドに関する。
【背景技術】
【０００２】
自動引込み装置および自動引込み装置を備える引出しガイドは、多数の実施形態で公知である。
【発明の概要】
【発明が解決しようとする課題】
【０００３】
自動引込み装置は、引出しレールで案内される可動家具部品を閉鎖位置まで確実に引き込むために使用される。特に、いわゆる「全伸長可能引出し」によって家具基体に対して移動可能に取り付けられた家具部品の場合、引出しの形材の進行、すなわち、走行レール、中間レールおよび案内レールの相互変位を操作すると、可動家具部品内に収納された重い物品による形材の相互の位置ずれの結果、引出しがつかえるというような問題が発生する。
【０００４】
従来公知の自動引込み装置および引出しガイドは、そのような自動引込み装置に対して予め張力を付与するために必要な作動力を非常に高くしなければならず、そのため、そのような可動家具部品の利用者が、家具基体から家具部品を引き出すために大きな力を加えなければならないという別の不便をもたらす。
【０００５】
したがって、本発明の目的は、引出しの形材の進行操作を改善するとともに、自動引込み装置を備えた家具部品を操作する際の利便性を向上させることである。
【課題を解決するための手段】
【０００６】
この目的は、請求項１の特徴を有する自動引込み装置と、請求項１３の特徴を有する引出しガイドによって達成される。
【０００７】
発明の有利な実施形態は、従属請求項の主題である。
【０００８】
本発明によれば、自動引込み装置は、張力付与機構を備え、張力付与機構は、少なくとも１つのエネルギー蓄積部に連結されて張力付与機構を同期的に制止させたり作動させたりする２つの駆動部を備える。
【０００９】
本発明にかかるそのような自動引込み装置を取り付けることにより、引出しの形材の進行を調整することができる。駆動部がエネルギー蓄積部を同期的に制止させたり作動させたりすることによって、位置ずれが効果的に防止される。
【００１０】
本発明の別の実施形態によれば、エネルギー蓄積部は、第１の端部が基体に、第２の端部が一方の駆動部にそれぞれロックされるばねの形で設けられている。この配置の結果、引張ばねが互いに平行に配置されるので、エネルギー蓄積部に引出し方向に予め張力を付与する際に、引張ばねのうちの１つのばね定数に相当する力を加えるだけでよく、その結果、操作の利便性が大幅に向上する。
【００１１】
好ましくは、駆動部が、基体に設けられた、最終閉鎖位置に到達する少し前に閉鎖運動を減衰させて閉鎖力の方向とは反対方向に作用する反力を加えるダンパに連結されている。ダンパは、自動引込み装置に連結された引出しレールが低速で閉鎖位置まで引っ張られることを確保するので、引出しレールが終端ストッパに当たる際に雑音が発生しない。
【００１２】
本発明の別の実施形態によれば、基体の両側の領域に、駆動部の少なくとも一方に連結されたそれぞれ１つのダンパが配置されている。これにより、案内レールと走行レールに対する減衰機能が確実に個別に調整可能になる。
【００１３】
好ましくは、駆動部は、歯車制御装置によって互いに連結されている。これにより、それぞれ対応する駆動部に連結された引出しガイドの移動を確実に結び付けることができる。
【００１４】
本発明の別の実施形態によれば、各駆動部が、基体に沿って変位可能に保持されたロック用ウェブ材に連結されており、各駆動部が制止位置で他方の駆動部のロック用ウェブ材を制止する。これにより、駆動部のうちの一方のみがその一方の駆動部に連結された引出しレールの移動によって作動され、他の引出しレールが自動引込み装置を作動させる作動位置に到達する前に、自動引込みが既に作動されてしまうことが防止される。
【００１５】
引出し、引出し部等のための引出しガイドの中間レールに自動引込み装置を取り付けることにより、案内レールでの中間レールと中間レールでの走行レールの移動を調整することができる。
【００１６】
以下、本発明を付属の図面に示すいくつかの実施形態に基づいて説明する。
【図面の簡単な説明】
【００１７】
【図１】図１は、本発明にかかる自動引込み装置の第１の実施形態の斜視図を示す。
【図２】図２は、図１の自動引込み装置の分解斜視図を示す。
【図３】図３は、本発明にかかる自動引込み装置の第２の実施形態の斜視図を示す。
【図４】図４は、図３の自動引込み装置の分解斜視図を示す。
【図５】図５は、本発明にかかる自動引込み装置の別の実施形態の斜視図を示す。
【図６】図６は、図５の自動引込み装置の分解斜視図を示す。
【図７】図７は、本発明にかかる自動引込み装置の別の実施形態の斜視図を示す。
【図８】図８は、図７の自動引込み装置の分解斜視図を示す。
【図９】図９は、本発明にかかる引出しガイドの実施形態の斜視図を示す。
【図１０】図１０は、本発明にかかる引出しガイドの実施形態の異なる斜視図を示す。
【図１１】図１１は、図９および図１０の引出しガイドの上面図を示す。
【図１２】図１２は、図９および図１０の引出しガイドの後面図を示す。
【図１３】図１３は、図９および図１０の引出しガイドの前面図を示す。
【図１４】図１４は、図９および図１０の引出しガイドの別の斜視図を示す。
【図１５】図１５は、図９および図１０の引出しガイドの別の位置での斜視図を示す。
【図１６】図１６は、図９および図１０の引出しガイドの別の位置での斜視図を示す。
【図１７】図１７は、図９および図１０の引出しガイドの別の斜視図を示す。
【図１８】図１８は、図９および図１０の引出しガイドの別の斜視図を示す。
【図１９】図１９は、図９および図１０の引出しガイドの別の斜視図を示す。
【図２０】図２０は、図９および図１０の引出しガイドの別の斜視図を示す。
【発明を実施するための形態】
【００１８】
図１〜図８は、引出しレールで案内される可動家具部品、特に引出し、引出し部等のための自動引込み装置１００、２００、３００、４００の様々な実施形態を示す。これらの自動引込み装置１００、２００、３００、４００はすべて、基体１０１、２０１、３０１、４０１と、基体１０１、２０１、３０１、４０１上に配置され、可動家具部品の開放時に張力が付与され、その蓄積されたエネルギーを閉鎖過程の間に最終閉鎖位置への引込みの補助として利用することが可能なエネルギー蓄積部と、所定の開放位置まで可動家具部品に連結されてエネルギー蓄積部に予め張力を付与し、上記所定の開放位置を越えると自動的に連結解除され、この位置で予め張力が付与されたエネルギー蓄積部を制止する張力付与機構とを備えている。本発明によれば、張力付与機構は、エネルギー蓄積部に連結されて張力付与機構を同期的に制止させる２つの駆動部１０９、１１３、２０７、２０８、３０５、３０６、４０５、４０６を備えている。
【００１９】
図１および図２に示す実施形態では、自動引込み装置１００は、実質的に、上面と底面に係止フック１１７、１１８が設けられた基体１０１と、それぞれ係止フック１１７、１１８にロック可能な２つの独立したハウジング１０４、１０５の３つの構成部品からなり、ハウジング１０４、１０５内には、それぞれ１つの駆動部１０９、１１３が搭載されている。これらのハウジング１０４、１０５は、その側面のうちの１面が開口した状態で設けられている。各ハウジング１０４、１０５のこの開口した側面から、ハウジング内に保持された駆動部１０９、１１３が突出している。駆動部１０９、１１３は、ハウジング１０４、１０５から突出する側が、例えば図１５に示すように作動部７、８と連結可能に設けられているので、可動家具部品が閉鎖位置から抜け出すと、ハウジング１０４、１０５内で変位させられる。基体１０１は、中間レール４に取り付けられる。作動部７は、走行レール３に設けられており、作動部８は、案内レール５に設けられている。
【００２０】
駆動部１０９、１１３には、２個の引張ばね（図１および図２に図示せず）がエネルギー蓄積部としてロックされており、引張ばねの他端は、受け部１２１において基体１０１に取り付けられている。その結果、可動家具部品が閉鎖位置から抜け出すと、両引張ばねに対して同時に張力が付与される。これらの張力付与位置をロックするために、駆動部１０９、１１３は、駆動部に設けられた案内ピン１１０、１１１、１１４、１１５を介してハウジング１０４、１０５内のＬ字形リンクガイド１１２、１１６内で案内される。突出した案内ピン１１４が、ラック１０７の開口部１２２に嵌入しており、突出した案内ピン１１１が、ラック１０６の開口部１２３に嵌入している。駆動部１０９、１１３のリンクガイド１１２、１１６のＬ字形の短い部分に近い方の案内ピン１１０、１１５がリンクガイド１１２、１１６のＬ字形の短い部分に摺動嵌合されるとすぐに、駆動部１０９、１１３がハウジング１０４、１０５内で傾動されて、駆動部１０９、１１３と連結されていた作動部７、８が駆動部１０９、１１３から連結解除されるので、作動部７に接続された走行レール３が連結解除状態で最大開放位置の方向に変位可能になる一方、エネルギー蓄積部が完全に引っ張られた状態で固定される。同時に、中間レール４が、作動部８に連結された案内レール５に対して走行レール３とともに移動する。それにより、作動部８に関連するエネルギー蓄積部も完全に引っ張られ、固定される。走行レール３が閉鎖位置に再び戻されると、作動部７と駆動部１１３との連結および作動部８と駆動部１０９との連結が再現されるので、ここでエネルギー蓄積部の蓄積エネルギーが可動家具部品の最終閉鎖位置への引込みの補助として利用可能になる。両作動部７、８が駆動部１０９、１１３と再び係合状態になるときのみ、システムが作動されて自動引込み装置１００が有効になり、これにより、引出しガイド１の閉鎖が発生することになる。これにより、箱体の位置ずれの形の走行エラーが効果的に防止または修正される。
【００２１】
一実施形態では、各駆動部が、基体に設けられた、最終閉鎖位置の少し前に閉鎖運動を減衰させて閉鎖力の方向とは反対方向に作用する反力を加える１つのダンパ１０２、１０３にさらに連結されている。
【００２２】
基体１０１は、中間レール４に取り付けられる。ハウジング１０４は、係止フック１１７を介して基体１０１に取り付けられており、ハウジング１０５は、係止フック１１８を介して基体１０１に取り付けられている。基体１０１のスロット１２０には、ラック１０６が摺動案内され、ラック１０６には、駆動部１０９が取り付けられ、突出した案内ピン１１１を介してラック１０６の開口部１２３が接続されている。基体１０１のスロット１１９には、ラック１０７が摺動案内され、ラック１０７には、駆動部１１３が取り付けられ、突出した案内ピン１１４を介してラック１０７の開口部１２２が接続されている。基体１０１の中心位置には、ラック１０６、１０７内を走行してシステムを同期させるように、歯車１０８が取り付けられている。ラック１０６、１０７は、歯車１０８と永久的に噛み合っている。
【００２３】
２つのラック１０６、１０７はそれぞれ、対応するハウジング１０４、１０５に取付け可能な取付け板と、取付け板に対して垂直に立つ１つの歯付きウェブ部とからなり、ラック１０６、１０７の両方の歯付きウェブ部は互いに対向しているため、歯車１０８が両方のラック１０６、１０７に同時に噛み合うことができる。これにより、駆動部１０９の変位が駆動部１１３の変位を常に伴うことが確保される。
【００２４】
図３および図４に示す自動引込み装置２００の実施形態では、両駆動部２０７、２０８がおなじダンパ２０２に接続されている。基体２０１は、この実施形態では各端部にそれぞれ１つの平坦部を備え、平坦部の縁の上に、駆動部２０７、２０８が案内される。ダンパ２０２は、これら２つの平坦部の間に配置されている。ダンパ２０２は（他の実施形態のダンパと同様に）実質的に円筒状に設けられており、底部側の端面から固定長のウェブ部２１０が設けられ、頭部側の端面には、ダンパ２０２内で変位可能なウェブ部２０９が設けられており、ウェブ部２０９、２１０は、駆動部２０７、２０８のダンパに面するそれぞれ対応する端面に玉継手を介して連結されている。この目的のため、駆動部２０７、２０８のダンパ２０２に面する端面に、ダンパウェブ部２０９、２１０の球状の端部が埋め込まれるソケット状の凹部が設けられている。
【００２５】
各駆動部２０７、２０８は、基体２０１に沿って変位可能に保持されたロック用ウェブ材２０５、２０６に継手２３０、２３１を介して枢着されており、制止位置においてそれぞれ他方の駆動部２０７、２０８のロック用ウェブ材２０５、２０６を制止する。基体２０１には、ロック用ウェブ材２０５、２０６を変位可能に支持する案内ウェブ部２１９が設けられており、好ましくはＬ字形に設けられて対構成で互いに位置をずらして立設されているため、ロック用ウェブ材２０５、２０６が、ロック用ウェブ材または基体の長手方向に変位可能に基体に配置される。ロック用ウェブ材２０５、２０６は、各ロック用ウェブ材２０５、２０６が、他方の駆動部が変位可能に配置されている基体２０１の端面の縁を越えて張力未付与位置に突出するように寸法設定された長さを有しており、駆動部２０７、２０８の制止位置への移動時には、基体２０１の反対側の端部で既に突出していたロック用ウェブ材２０５、２０６の端部が基体２０１の端面の縁と面一になる位置に変位される。この目的のため、それぞれ他方の駆動部に連結されたロック用ウェブ材に面する駆動部２０７、２０８の側面には、駆動部２０７、２０８の一方のみが制止位置から動かされる限りは、他方の駆動部に連結されたロック用ウェブ材の端面２２７、２２８が基体２０１の端縁を越える移動を妨げる突出部２１１、２１４が設けられている。
【００２６】
駆動部２０７、２０８の基体２０１上での案内は、基体２０１の平坦部上の１つの折曲溝２１３、２１６によってさらに支持されており、溝２１３、２１６には、駆動部２０７、２０８上のそれぞれ対応する案内ピン２１５が嵌入する。
【００２７】
特に図４に示すように、引張ばね２０３、２０４は、それぞれの一端２２１、２２２が、この目的のために基体２０１に設けられたロック用凹部２２４、２２６に取り付けられており、それぞれの他端２２０、２２３が、対応する駆動部２０７、２０８とロック用凹部２１７において連結されている。
【００２８】
図５および図６は別の実施形態を示す。本発明にかかる装置の基体３０１も中間レール４に設けられる。自動引込み装置３０１の同時作動に必要な作動部７、８の係合と駆動部３０５、３０６の作動の同期は、この場合、中間レール４に回転可能に設けられ、案内レール５と走行レール３にそれぞれ固定されたラックと両側で全引出し長にわたって噛み合う歯車によって行われる（図示せず）。この実施形態では、引張ばね３０３、３０４が、駆動部３０６、３０５の一方とダンパ３０２全体を足した経路に相当する長さに設けられている。この実施形態では、基体３０１の両端部に、引張ばね３０３、３０４のそれぞれ対応する一方の端部３１０、３１３がロックされるロック用凹部３１２が設けられている。
【００２９】
図７および図８に示す自動引込み装置の実施形態では、自動引込み機構全体が、一部は中間レール４上に設けられているが、基体４０１内に設けられており、基体４０１は、一部が、ダンパ４０３、２個の引張ばね４１０、４１１、ラック４０７、４０８、ラック４０７、４０８間に配置された歯車４０９を三方から取り囲むハウジングとして設けられており、開口した側面が板４０２によって閉塞可能になっている。この目的のため、板４０２に、板４０２に平行に延びる基体４０１の領域の開口部に嵌入する２個のピン４２２、４２０が設けられている。板４０２は、板から垂直に基体４０１のハウジング部分の内部に突出する円筒状ピン４２１をさらに備えている。歯車４０９は、円筒状ピン４２１に回転可能に設けられている。歯車４０９は、互いに対向する歯が設けられた２個のラック４０７、４０８と永久的に噛み合っている。図では上方のラックであるラック４０７は、回動可能な駆動部４０６と引張ばね４１０との間に配置されている。引張ばね４１０の他端は、基体４０１に取り付けられている。下方のラック４０８は、回動可能な駆動部４０５に連結されている。これにより、張力付与装置が常に均一に張力を付与され、一方の駆動部４０５のみが制止位置から取り除かれた場合には、引込み補助が他方の駆動部４０６の制止位置によって引き続き制止され、両駆動部４０５、４０６が制止位置を離れたときのみ、引込み補助が作用状態になることが簡単な形で確保される。
【００３０】
図９〜図２０は、本発明にかかる引出しガイドの一実施形態のそれぞれ異なる図を示す。図面に示す変形例は、引出しや引出し部に特に適している。参照符号１で示す引出しガイドは、実質的に、家具基体に取付け可能な案内レール５と、案内レール５内に係合する中間レール４と、中間レール４に例えば引出しに接続可能に設けられた走行レール３とからなる。自動引込み装置は、中間レール４に取り付けられている。案内レール５と走行レール３の両方には、それぞれ作動部７、８が設けられており、作動部７、８は、図１５により詳細に示す駆動部３０５、３０６の一方にそれぞれ連結される。走行レール３の中間レール４に対する相対変位時および中間レール４の案内レール５に対する相対変位時に、駆動部３０５、３０６は、作動部７、８によって同時に動かされ、それにより、自動引込み装置６のエネルギー蓄積部に張力が付与される。走行レール３と中間レール４と案内レール５が所定の引出し経路を越えた場合には、駆動部３０５、３０６が、駆動部のそれぞれ対応するガイドによって傾動されて作動部７、８の係合領域から離れ、この位置でロックされる。このとき、走行レール３と中間レール４は、全引出し位置まで引き出すことが可能であり、自動引込み装置６は、自動引込み装置のエネルギー蓄積部が全張力を付与されたままの位置でとどまる。図１２に示すように、引出しガイド１を家具基体（この場合は図示せず）に取り付けるために、山形ブラケット２が使用されている。
【００３１】
走行レール３と中間レール４が閉鎖方向に摺動して戻されると、作動部７、８が所定の変位位置で再び駆動部３０５、３０６の領域に達して駆動部のロックを解除し、これにより、エネルギー蓄積部を解放する。走行レール３と中間レール４は、それぞれ対応する力により、駆動部３０５、３０６と作動部７、８の間の相互作用を介して自動的に閉鎖位置まで引き込められる。
【符号の説明】
【００３２】
１…引出しガイド、２…山形ブラケット、３…走行レール、４…中間レール、５…案内レール、６…自動引込み装置、７…作動部、８…作動部、１００…自動引込み装置、１０１…基体、１０２…ダンパ、１０３…ダンパ、１０４…ハウジング、１０５…ハウジング、１０６…ラック、１０７…ラック、１０８…歯車、１０９…駆動部、１１０…案内ピン、１１１…突出した案内ピン、１１２…リンクガイド、１１３…駆動部、１１４…突出した案内ピン、１１５…案内ピン、１１６…リンクガイド、１１７…係止フック、１１８…係止フック、１１９…スロット、１２０…スロット、１２１…受け部、１２２…開口部、１２３…開口部、２００…自動引込み装置、２０１…基体、２０２…ダンパ、２０３…引張ばね、２０４…引張ばね、２０５…ロック用ウェブ材（Ｖｅｒｒｉｅｇｅｌｕｎｇｓｓｔｅｇ）、２０６…ロック用ウェブ材（Ｖｅｒｒｉｅｇｅｌｕｎｇｓｓｔｅｇ）、２０７…駆動部、２０８…駆動部、２０９…ウェブ部（Ｓｔｅｇ）、２１０…ウェブ部（Ｓｔｅｇ）、２１１…突出部、２１４…突出部、２１６…溝、２１７…ロック用凹部、２１９…案内ウェブ部（Ｆｕｅｈｒｕｎｇｓｓｔｅｇ）、２２０…端部、２２１…端部、２２２…端部、２２３…端部、２２４…ロック用凹部、２２５…案内ピン、２２６…ロック用凹部、２２７…端面、２２８…端面、２３０…継手、２３１…継手、３００…自動引込み装置、３０１…基体、３０２…ダンパ、３０３…引張ばね、３０４…引張ばね、３０５…駆動部、３０６…駆動部、３１０…端部、３１２…ロック用凹部、３１３…端部、３１４…端部、３１８…案内トラック、３１９…案内トラック、４００…自動引込み装置、４０１…基体、４０２…板、４０３…ダンパ、４０５…駆動部、４０６…駆動部、４０７…ラック、４０８…ラック、４０９…歯車、４１０…引張ばね、４１１…引張ばね、４１８…案内トラック、４１９…案内トラック、４２０…ピン、４２１…円筒状ピン、４２２…ピン。
【図１】
0005417603.tif 000002
【図２】
0005417603.tif 000003
【図３】
0005417603.tif 000004
【図４】
0005417603.tif 000005
【図５】
0005417603.tif 000006
【図６】
0005417603.tif 000007
【図７】
0005417603.tif 000008
【図８】
0005417603.tif 000009
【図９】
0005417603.tif 000010
【図１０】
0005417603.tif 000011
【図１１】
0005417603.tif 000012
【図１２】
0005417603.tif 000013
【図１３】
0005417603.tif 000014
【図１４】
0005417603.tif 000015
【図１５】
0005417603.tif 000016
【図１６】
0005417603.tif 000017
【図１７】
0005417603.tif 000018
【図１８】
0005417603.tif 000019
【図１９】
0005417603.tif 000020
【図２０】
0005417603.tif 000021